(57)【要約】    【課題】  口腔内を簡便且つ確実に洗浄することができる歯洗浄器を提供する。    【解決手段】  歯洗浄器１は、内部に圧縮空気及び所定量の水を充填する圧力容器１０と、圧縮空気を一次側気体通路２１を介して後述する圧力調整弁２３に導入する弁部２２と、一次側気体通路２１を介して導入された圧縮空気を所定の圧力に調整する圧力調整弁２３と、調整された圧縮空気を後述する粉末容器２４内に導入する二次側気体通路２５と、噴射装置２０の上部に脱着可能に設置されると共に二次側気体通路２５に接続され、且つ歯を洗浄するための洗浄用粉末を保持する粉末容器２４と、粉末容器２４からの圧縮空気及び後述する圧力調整弁２８からの水を混合する混合通路２６と、圧力容器１０から導入された水を所定の圧力に調整する圧力調整弁２８と、混合通路２６を介して導入された圧縮空気及び水を使用者の歯に噴射する噴射ノズル２９とを備える。【選択図】      図１
2007029525.tif 000002
【特許請求の範囲】
【請求項１】
内部に圧縮気体及び所定量の液体を充填する圧力容器と、所定粉末を保持すると共に内部において前記圧縮気体及び前記所定粉末が混合される粉末容器と、前記圧力容器に充填された圧縮気体を前記粉末容器に導入する弁部と、前記所定粉末が混合された圧縮気体及び前記圧力容器に充填された液体を混合する混合部と、前記混合された圧縮気体及び液体を噴射する噴射部とを備えることを特徴とする歯洗浄器。
【請求項２】
前記圧力容器と前記粉末容器との間に設けられ、前記粉末装置に導入される圧縮空気を所定の圧力に調整する第１の圧力調整部と、前記圧力容器と前記混合部との間に設けられ、前記混合部に導入される液体を所定の圧力に調整する第２の圧力調整部とを備えることを特徴とする請求項１記載の歯洗浄器。
【請求項３】
前記第１の圧力調整部は、前記圧縮空気の圧力を０．１８〜０．２５ＭＰａ（１．８〜２．５ｋｇ／ｃｍ２）に調整することを特徴とする請求項２記載の歯洗浄器。
【請求項４】
前記第２の圧力調整部は、前記圧縮空気の圧力を０．１５〜０．２２ＭＰａ（１．５〜２．２ｋｇ／ｃｍ２）に調整することを特徴とする請求項２記載の歯洗浄器。
【請求項５】
前記粉末容器は脱着可能に設けられることを特徴とする請求項１乃至４のいずれか１項に記載の歯洗浄器。
【請求項６】
前記圧力容器は、外部に設けられた気体圧縮手段と接続する接続部を有し、外部から導入される圧縮気体を前記接続部を介して充填することを特徴とする請求項１乃至５のいずれか１項に記載の歯洗浄器。
【請求項７】
前記所定粉末はその主成分が重曹であることを特徴とする請求項１乃至６のいずれか１項に記載の歯洗浄器。
【発明の詳細な説明】
【技術分野】
【０００１】
本発明は、歯洗浄器に関し、特に、携帯用として使用される歯洗浄器に関する。
【背景技術】
【０００２】
従来、口腔内を洗浄するための携帯用歯洗浄器として、歯ブラシ、歯間ブラシ、糸楊枝等が知られており、また、洗浄剤としては、ペースト状の練り歯磨きや、口に含んで所定時間すすぐことにより歯垢や食べ物の滓を除去する液体歯磨き等が知られている。
【０００３】
上記器具のうち、例えば練り歯磨きを塗布した歯ブラシを使用する場合において、歯垢や歯間に挟まった食べ物の滓を除去するためには、正しい磨き方で且つ比較的長い時間歯をブラッシングしなければならず、口腔内を効率的に洗浄することができないという問題がある。
【０００４】
このような問題を解消するべく、図３に示すように、空気を圧縮して圧縮空気を製造する空気圧縮ポンプ６０と、製造された圧縮空気を貯蔵する空気ボンベ７０と、空気ボンベ７０に貯蔵された圧縮空気を吐出するノズル８０とを備える口腔洗浄具１００が開示されている。
【０００５】
口腔洗浄具１００では、まず、操作シリンダ６１を押圧して数回移動させることにより、シリンダ６２内の空気が空気ボンベ７０の空気室７１内に圧縮空気として貯蔵される。その後、ノズル８０の先端を使用者の歯に対向させ、レバー９０を回動させて開閉弁９１を開くと、空気室７１内に貯蔵されていた圧縮空気がノズル８０からジェット流として吐出する。これにより、該ジェット流で歯垢や歯間に挟まった食べ物の滓を除去することができ、口腔内を効率的に洗浄することが可能となる（例えば、特許文献１参照）。
【特許文献１】特開平２００４−７３５５８号公報
【発明の開示】
【発明が解決しようとする課題】
【０００６】
しかしながら、上記のような歯洗浄器では、タバコの脂や歯垢が歯の表面に付着している場合は、強力な付着力によりタバコの脂等を歯の表面から除去することが困難であり、口腔内を確実に洗浄することができないという問題点がある。また、上記付着物を歯から除去するためには、歯科医院等に設置されている専門器具を使用しなければならず、作業が煩雑である。
【０００７】
本発明の目的は、口腔内を簡便且つ確実に洗浄することができる歯洗浄器を提供することにある。
【課題を解決するための手段】
【０００８】
上記目的を達成するために、請求項１記載の歯洗浄器は、内部に圧縮気体及び所定量の液体を充填する圧力容器と、所定粉末を保持すると共に内部において前記圧縮気体及び前記所定粉末が混合される粉末容器と、前記圧力容器に充填された圧縮気体を前記粉末容器に導入する弁部と、前記所定粉末が混合された圧縮気体及び前記圧力容器に充填された液体を混合する混合部と、前記混合された圧縮気体及び液体を噴射する噴射部とを備えることを特徴とする。
【０００９】
請求項２記載の歯洗浄器は、請求項１記載の歯洗浄器において、前記圧力容器と前記粉末容器との間に設けられ、前記粉末装置に導入される圧縮空気を所定の圧力に調整する第１の圧力調整部と、前記圧力容器と前記混合部との間に設けられ、前記混合部に導入される液体を所定の圧力に調整する第２の圧力調整部とを備えることを特徴とする。
【００１０】
請求項３記載の歯洗浄器は、請求項２記載の歯洗浄器において、前記第１の圧力調整部は、前記圧縮空気の圧力を０．１８〜０．２５ＭＰａ（１．８〜２．５ｋｇ／ｃｍ２）に調整することを特徴とする。
【００１１】
請求項４記載の歯洗浄器は、前記第２の圧力調整部は、前記圧力容器に充填された液体の圧力を０．１５〜０．２２ＭＰａ（１．５〜２．２ｋｇ／ｃｍ２）に調整することを特徴とする。
【００１２】
請求項５記載の歯洗浄器は、請求項１乃至４のいずれか１項に記載の歯洗浄器において、前記粉末容器は脱着可能に設けられることを特徴とする。
【００１３】
請求項６記載の歯洗浄器は、請求項１乃至５のいずれか１項に記載の歯洗浄器において、前記圧力容器は、外部に設けられた気体圧縮手段と接続する接続部を有し、外部から導入される圧縮気体を前記接続部を介して充填することを特徴とする。
【００１４】
請求項７記載の歯洗浄器は、請求項１乃至６のいずれか１項に記載の歯洗浄器において、前記所定粉末はその主成分が重曹であることを特徴とする。
【発明の効果】
【００１５】
請求項１記載の歯洗浄器によれば、内部に圧縮気体及び所定量の液体を充填する圧力容器と、所定粉末を保持すると共に内部において圧縮気体及び所定粉末が混合される粉末容器と、圧力容器に充填された圧縮気体を粉末容器に導入する弁部と、所定粉末が混合された圧縮気体及び圧力容器に充填された液体を混合する混合部と、混合された圧縮気体及び液体を噴射する噴射部とを備えるので、圧縮気体及び液体に含有された所定粉末が歯の表面に付着したタバコの脂等に衝突し、圧縮気体に含有された所定粉末の研磨作用によりタバコの脂等が歯の表面から剥離し、これによりタバコの脂等を歯の表面から除去することができ、また、歯科医院等に設置されている専門器具を必要としないため、使用者の所望の場所で口腔内を洗浄することができ、もって口腔内を簡便且つ確実に洗浄することができる。
【００１６】
請求項２記載の歯洗浄器によれば、圧力容器と粉末容器との間に設けられ、粉末装置に導入される圧縮空気を所定の圧力に調整する第１の圧力調整部と、圧力容器と混合部との間に設けられ、混合部に導入される液体を所定の圧力に調整する第２の圧力調整部とを備えるので、噴射部から噴射される圧縮気体及び液体の圧力を、タバコの脂等を歯の表面から剥離させるために必要且つ最適な値に設定することができる。
【００１７】
請求項３記載の歯洗浄器によれば、第１の圧力調整部は、圧縮空気の圧力を０．１８〜０．２５ＭＰａ（１．８〜２．５ｋｇ／ｃｍ２）に調整するので、タバコの脂等を歯の表面から確実に剥離させることができる。
【００１８】
請求項４記載の歯洗浄器によれば、第２の圧力調整部は、圧力容器に充填された液体の圧力を０．１５〜０．２２ＭＰａ（１．５〜２．２ｋｇ／ｃｍ２）に調整するので、タバコの脂等を歯の表面から確実に剥離させることができる。
【００１９】
請求項５記載の歯洗浄器によれば、粉末容器が脱着可能に設けられるので、所定粉末を粉末容器内に随時補充することができ、もって所定粉末を圧縮気体に確実に混合させることができる。
【００２０】
請求項６記載の歯洗浄器によれば、圧力容器は、外部に設けられた気体圧縮手段と接続する接続部を有し、外部から導入される圧縮気体を接続部を介して充填するので、圧力容器に充填される圧縮気体を随時補充することができ、タバコの脂等を歯の表面から剥離させるために必要な圧縮気体を常に保持することができる。
【００２１】
請求項７記載の歯洗浄器によれば、所定粉末はその主成分が重曹であるので、重曹粒子の硬度特性により、歯を傷つけない範囲でタバコの脂等を歯の表面から剥離させることができ、これにより口腔内からタバコの脂等を効率的に除去することができる。
【発明を実施するための最良の形態】
【００２２】
以下、本発明の実施の形態を図面を参照しながら詳述する。
【００２３】
図１は、本発明の実施の形態に係る歯洗浄器の構成を概略的に示す断面図である。
【００２４】
図１において、歯洗浄器１は、内部に圧縮空気及び所定量の水を充填する圧力容器１０と、圧力容器１０の上部に脱着可能に取り付けられ、圧力容器１０に充填された圧縮空気及び水を外部に噴射する噴射装置２０を備える。
【００２５】
圧力容器１０は、所定の厚さを有するスチール又はアルミニウム製の圧力容器であり、その内部には所定圧力、例えば、０．５〜０．７ＭＰａ（５．０〜７．０ｋｇ／ｃｍ２）の圧縮空気及び所定量の水が充填されている。この圧力容器は、例えば、直径約３５ｍｍ、高さ約１１０ｍｍの円筒容器である。
【００２６】
噴射装置２０は、上面を押圧することにより圧力容器１０に充填された圧縮空気を一次側気体通路２１を介して後述する圧力調整弁２３に導入する弁部２２と、一次側気体通路２１を介して導入された圧縮空気を所定の圧力に調整する圧力調整弁２３と、調整された圧縮空気を後述する粉末容器２４内に導入する二次側気体通路２５と、噴射装置２０の上部に脱着可能に設置されると共に二次側気体通路２５及び後述する混合通路２６に接続され、且つ歯を洗浄するための洗浄用粉末を保持する粉末容器２４と、粉末容器２４からの圧縮空気及び後述する圧力調整弁２８からの水を混合する混合通路２６と、混合通路２６に接続され、圧力容器１０に保持された水を後述する圧力調整弁２７に導入する液体通路２８と、液体通路２８を介して圧力容器１０から導入された水を所定の圧力に調整する圧力調整弁２８と、混合通路２６を介して導入された後述する混合物を使用者の歯に噴射する噴射ノズル２９とを備える。
【００２７】
圧力調整弁２３は、圧力容器１０と粉末容器２４との間に設けられ、一次側気体通路２１から導入された圧縮空気の圧力、すなわち圧力容器１０に充填された圧縮空気の圧力にかかわらず、二次側気体通路２５及び粉末容器２４に導入される圧縮空気の圧力を所定の圧力に調整する。これにより、噴射部から噴射される圧縮気体の圧力を、タバコの脂等を歯の表面から剥離させるために必要且つ最適な値に設定することができる。
【００２８】
二次側気体通路２５に導入される圧縮空気の圧力は、好ましくは、０．１８〜０．２５ＭＰａ（１．８〜２．５ｋｇ／ｃｍ２）である。これにより、タバコの脂等を歯の表面から確実に剥離させることができる。
【００２９】
粉末容器２４は、ワンタッチ式で噴射装置２０に脱着可能に取り付けられる略円筒型の樹脂製容器であり、二次側気体通路２５及び混合通路２６と接続される。粉末容器が脱着可能に設けられることにより所定粉末を粉末容器内に随時補充することができ、もって所定粉末を圧縮気体に確実に混合させることができる。また、粉末容器２４は、内部に保持された洗浄用粉末が圧縮空気にほぼ一定の割合で混合されるように構成されている。
【００３０】
粉末容器２４に保持される洗浄用粉末は、その主成分が重曹である。重曹粒子の硬度特性により、歯を傷つけない範囲でタバコの脂等を歯の表面から剥離させることができ、これにより口腔内からタバコの脂等を効率的に除去することができる。
【００３１】
液体通路２８は、例えば、樹脂製のホースからなり、圧力容器１０に充填された圧縮空気の圧力より押し上げられた水を圧力調整弁２７に導入する。
【００３２】
圧力調整弁２７は、圧力容器１０と混合通路２６との間に設けられ、液体通路２８から導入された水の圧力にかかわらず、混合通路２６に導入される水の圧力を所定の圧力に調整する。これにより、噴射ノズル２９から噴射される水の圧力を、タバコの脂等を歯の表面から剥離させるために必要且つ最適な値に設定することができる。
【００３３】
混合通路２６に導入される水の圧力は、好ましくは０．１５〜０．２２ＭＰａ（１．５〜２．２ｋｇ／ｃｍ２）である。これにより、タバコの脂等を歯の表面から確実に剥離させることができる。
【００３４】
混合通路２６では、洗浄用粉末を含有する圧縮空気と圧力調整された水とをほぼ一定の割合で混合し、洗浄用粉末、気体、及び水からなる混合物を噴射ノズル２９に導入する。この混合物は、洗浄用粉末、気体、及び水がほぼ一定の割合で混合されている。このとき、洗浄用粉末は、水に溶解せず混合物内で粒子として存在しているか、又はその一部が水に溶解している。
【００３５】
この歯洗浄器１では、まず、ワンタッチ式の粉末容器２４を噴射装置２０から取り外して粉末容器２４に所定量の洗浄用粉末を入れた後、粉末容器２４を噴射装置２０に取り付ける。
【００３６】
その後、弁部２２を図１の矢印方向に押下すると、弁部２２がバネの付勢方向と逆方向に移動し、圧力容器１０に充填された圧縮空気が一次側気体通路２１を介して圧力調整弁２３に導入される。圧力調整弁２３に導入された圧縮空気は、所定の圧力、例えば０．１８ＭＰａまで減圧され、二次側気体通路２５を介して粉末容器２４に導入される。粉末容器２４に導入された圧縮空気は、粉末容器２４内で一定の方向に流れることにより洗浄用粉末とほぼ一定の割合で混合され、粒子を含有する圧縮気体として混合通路２６に導入される。
【００３７】
一方、圧力容器１０に保持されている水は、圧力容器１０に充填された圧縮空気の圧力より押し上げられ、液体通路２８を介して圧力調整弁２７に導入される。圧力調整弁２７に導入された水は所定の圧力、例えば０．１５ＭＰａまで減圧され、混合通路２６に導入される。
【００３８】
粒子を含有する圧縮気体は、混合通路２６において圧力調整された水とほぼ一定の割合で混合され、洗浄用粉末、気体、及び水からなる混合物として所定圧力で噴射ノズル２９から噴射される。噴射された混合物のうち、洗浄用粉末が歯の表面に付着したタバコの脂に衝突し、この衝突が繰り返されることによりタバコの脂等の付着物を歯の表面から剥離させる。
【００３９】
本実施の形態によれば、内部に圧縮空気及び所定量の水を充填する圧力容器１０と、洗浄用粉末を保持すると共に内部において圧縮空気及び洗浄用粉末が混合される粉末容器２４と、圧力容器１０に充填された圧縮空気を粉末容器２４に導入する弁部２２と、洗浄用粉末が混合された圧縮空気及び圧力容器１０に充填された液体を混合する混合通路２６と、混合された圧縮空気及び液体を噴射する噴射ノズル２９とを備えるので、圧縮空気及び水に含有された洗浄用粉末が歯の表面に付着したタバコの脂等に衝突し、圧縮空気に含有された洗浄用粉末の研磨作用によりタバコの脂等が歯の表面から剥離し、これによりタバコの脂等を歯の表面から除去することができ、また、歯科医院等に設置されている専門器具を必要としないため、使用者の所望の場所で口腔内を洗浄することができ、もって口腔内を簡便且つ確実に洗浄することができる。
【００４０】
図２は、図１における歯洗浄器１の変形例を示す断面図である。
【００４１】
図２において、圧力容器３０は、圧力容器３０の内部に加圧空気を導入するべく、コンプレッサ等の加圧装置５０と接続ホース５１を介して脱着可能に接続される接続部３１を有する。
【００４２】
圧力容器３０は、外部に設けられた加圧装置５０と接続する接続部を有し、外部から導入される圧縮気体を接続部３１を介して充填する。また、圧力容器３０から噴射装置２０を取り外して圧力容器１０に所定量の水を入れる。これにより、圧力容器３０内に圧縮気体及び水を繰り返し補充することができ、タバコの脂等を歯の表面から剥離させるために必要な圧縮気体を常に保持することができる。
【００４３】
本実施の形態では、洗浄用粉末として重曹が使用されるが、これに限るものではなく、効率的にタバコの脂を除去するべく弱酸性物質を使用してもよい。弱酸性物質としては、例えば、クエン酸を使用することが好ましい。これにより、弱アルカリ性を示すタバコの脂を弱酸性物質のクエン酸と化学反応させることによりタバコの脂を分解し、もってタバコの脂等を歯の表面から効率的且つ確実に除去することができる。
【００４４】
また、本実施の形態では、外部から導入される圧縮気体を接続部３１を介して充填することにより、圧縮気体を圧力容器３０に充填するが、これに限るものではなく、発泡剤を圧力容器１０内に投入して圧力容器１０内で気体を発生させることにより、圧力容器１０内に圧縮気体を繰り返し充填してもよい。
【図面の簡単な説明】
【００４５】
【図１】本発明の実施の形態に係る歯洗浄器の構成を概略的に示す断面図である。
【図２】図１における歯洗浄器の変形例を示す断面図である。
【図３】従来の歯洗浄器としての口腔洗浄具の構成を概略的に示す図である。
【符号の説明】
【００４６】
１  歯洗浄器
１０  圧力容器
２２  弁部
２４  粉末容器
２６混合通路
２９  噴射ノズル
【図１】
2007029525.tif 000003
【図２】
2007029525.tif 000004
【図３】
2007029525.tif 000005